(57)【要約】【課題】  データ送信が困難な場合にその情報を保持し、確実に送信を完了することが可能なシステムが求められている。【解決手段】  携帯電話端末は、現場で入力された現場情報を同携帯電話端末の記憶媒体に記憶させ、送信可能となった時点で情報サーバに送信することで確実に送信できる。【選択図】図１
2010239445.tif 000002
【特許請求の範囲】
【請求項１】
携帯電話のカメラ機能およびＧＰＳ機能を利用したアプリケーションを用いて、現場から画像および位置情報等の現場情報を送信し、情報サーバに同現場情報を蓄積すると共に巡視結果や被害状況を集計し、情報サーバに有線又は無線のネットワーク接続されたクライアントＰＣでその情報を把握できる管理システムであって、
前記携帯電話は、現場で取得された現場情報を同携帯電話の記憶媒体に記憶させ、送信可能になったときに情報サーバに自動送信するシステム。
【請求項２】
請求項１に記載のシステムであって、前記自動送信がデータ収集ソフトとは別に用意されたデータ送信専用ソフトを用いて、記憶媒体に未送信データが残っている限り、未送信データの送信を試み続けることを特徴とするシステム。
【請求項３】
請求項１または請求項２に記載のシステムであって、電柱の状況を現場で入力することも可能であるし、クライアントＰＣの操作者が、現場から情報サーバに送信された画像データを閲覧して被害の状況を判断して補足入力することも可能であることを特徴とするシステム。
【発明の詳細な説明】
【技術分野】
【０００１】
本発明は、位置情報に基づく電柱状況を管理するシステムに関し、特に大規模災害時等に通信が規制されている状況でも確実に電柱状況に関する情報を収集するシステムに関する。
【背景技術】
【０００２】
従来、台風や地震などの大規模災害時などには、電力設備などのライフラインに関する被害状況の把握を迅速に実施する必要があるため、巡視者（現場）は、例えば、携帯端末のカメラ機能およびＧＰＳ機能を利用して、現場情報（電柱等を含む現場の画像等）及び位置情報などの情報を短期間に大量に送信しなければならない。
しかし、かかる状況においては、通信制限が行われたり、停電などにより通信自体が困難になる場合が想定される。
【先行技術文献】
【非特許文献】
【０００３】
【非特許文献１】マルティスープ（株）のＭｓｈｏｔ  Ｌｏｃａｔｉｏｎ（Ｒ）
【発明の概要】
【発明が解決しようとする課題】
【０００４】
本発明が解決しようとする課題は、携帯端末からの現場情報（電柱等を含む現場の画像等）及び位置情報などの情報を、確実に送信することが可能なシステムを提供することである。
【課題を解決するための手段】
【０００５】
上記課題を解決するために、請求項１の発明は、携帯端末により取得された現場情報を、一時、同携帯端末の記憶媒体に記憶させ、送信可能となったときに未送信現場情報データを情報サーバに自動送信することにより確実に送信することが可能なシステムを提供する。
【０００６】
請求項２の発明は、前記自動送信がデータ収集ソフトとは別に用意されたデータ送信専用ソフトを用いて、記憶媒体に未送信データが残っている限り、未送信データの送信を試み続けるシステムを提供する。
【０００７】
請求項３の発明は、現場情報が電柱に関するものの場合に、電柱の状況を現場で入力することも可能であるし、クライアントＰＣの操作者が画像データを閲覧して被害の状況を判断して補足入力することも可能であるシステムを提供する。
【発明の効果】
【０００８】
大規模災害時には、携帯端末の通信網が混雑して輻輳したり、通信設備が損壊して通信が困難になる場合が考えられるが、送信を試みたが失敗した現場情報等の送信データを、一時的に携帯端末の記憶媒体に記憶させておき、送信可能となった時点で情報サーバに自動送信することにより、確実に現場情報等の送信データを送信することが可能になる。
【０００９】
また、携帯端末の記憶媒体に現場情報等の未送信データが残っている限り、そのデータの送信を重ねて試み続けることにより、現場を離れた後でも、送信可能になったときに確実に自動送信される。
【００１０】
さらに、災害により電柱がどのような被害を受けたかを判定するために、電柱の状況を現場で入力することも可能であるし、現場状況を撮影した画像を含む現場情報を情報サーバに送信後に、クライアントＰＣの操作者が画像データを閲覧して被害の状況を判断して補足入力することもできるので、データ入力に関して柔軟性を備える。
【図面の簡単な説明】
【００１１】
【図１】本発明のシステムの概略構成図である。
【図２】制御フローを示す図である。
【図３】管理データベースの図である。
【発明を実施するための形態】
【００１２】
以下、本発明を実施するための最良の形態について図面を参照しながら説明する。
図1は本発明のシステムの概略構成図である。現場情報を集める携帯端末１０にはフラッシュメモリ等の記憶媒体を備え、現場情報を収集して情報サーバ３０へ送信する専用のソフトウェアが記憶されている。各現場で携帯端末１０のカメラ機能により撮影された現場状況の画像データ等の現場情報を、撮影と同時に携帯端末のＧＰＳ機能で取得された位置情報等と共にＦＯＭＡ網等の基地局２０ａを介して情報サーバ３０へ送信する。情報サーバ３０には、記憶媒体４０に記憶されたデータベースと連携して現場の状況管理を行う状況管理ソフトウェアが記憶されていて、このソフトウェアを用いて、携帯端末１０から送られたデータを現場情報を管理する管理データベースに整理して情報サーバ３０に接続された記憶媒体４０に記憶し、同じく記憶媒体４０に記憶された地図データと組み合わせて、クライアントＰＣ５０に記憶されたブラウザ等のソフトウェアでクライアントＰＣの操作者が閲覧でき、管理データベースを操作できる。クライアントＰＣ５０は情報サーバ３０とＬＡＮ（Ｌｏｃａｌ  Ａｒｅａ  Ｎｅｔｗｏｒｋ）またはＷＡＮ（Ｗｉｄｅ  Ａｒｅａ  Ｎｅｔｗｏｒｋ）等の回線網を介して接続されている。
【００１３】
図２は携帯端末１０における操作の制御フロー図である。この制御フローは、携帯端末１０を用いて、電柱等の現場の状況を撮影し、情報サーバ３０に送信するものである。
【００１４】
最初に、この制御フローでは、携帯端末から現場情報を送信するための「スタートボタン」が押されたか否かを判断する（Ｓ１）。この「スタートボタン」は、例えば携帯端末に付設された「＊１０９」のボタンとする。
【００１５】
前記のステップ（Ｓ１）において、「スタートボタン」が押されなかった場合にはこのフローを実行しない。「スタートボタン」が押された場合にはこのフローを実行し、「シャッターボタン」が押されたか否かを判断する（Ｓ２）。「シャッターボタン」が押された場合には、電柱等の現場状況を撮影した画像が取得されたので、その画像と共に携帯電話のＧＰＳ機能を用いて位置情報（ｘ，ｙ）を取得する（Ｓ３）。
【００１６】
次に、撮影した画像が電柱に関するものである場合、その電柱の状況（正常、傾柱、倒壊）を入力するために、携帯端末の表示器に「１」：正常、「２」：傾柱「３」：倒壊の番号を入力する旨の表示をさせる。そしていずれかの番号が入力されると、図２（Ｃ）に示す送信データを記憶媒体に記憶する（Ｓ５）。
【００１７】
図２（Ｃ）に示されるデータには、情報サーバ３０に送信済みか否かを示す「送信済」欄、保存された画像ファイル名を示す「画像ファイル名」欄、携帯端末のＧＰＳ機能により取得されたその画像を取得した場所の位置情報を示す「位置情報」欄、および、電柱の状況を示す「状況」欄を設けている。
【００１８】
例えば、図２（Ｃ）中において、１行目は既に情報サーバ３０に送信済みの画像ファイル名（ｄａｔａ００１）、位置（ｘ１，ｙ１）、状況は「２」で示される傾柱である。２行目は情報サーバ３０に未送信の画像ファイル名（ｄａｔａ００２）、位置（ｘ２，ｙ２）、状況は「３」で示される倒壊である。
【００１９】
前記記憶媒体に保存された送信データを、この携帯端末から既知である情報サーバに送信し（Ｓ６）、送信が完了したら図２（Ｃ）で示されるデータの「送信済」欄に送信済みである旨を記載する。回線の輻輳、通信設備の損壊等で送信が不可能であった場合には、図２Ｃに示される「送信済」欄は未送信である旨を記載したままで、終了ボタンが押されたか否かを判断し、押されなかった場合にはステップＳ２に戻って、画像の撮影準備に入る。押された場合には現場情報収集のフローを終了する。終了ボタンが押されるまで情報収集と送信を行い、送信できたときにはその旨を送信データの「送信済」欄に記載する。なお、ステップＳ６の実行は、この段階で実行する必要はなく、後に説明するＳ９で実行されてもよい。
【００２０】
次に、図２（Ｂ）は未送信データを送信するフローを示し、この制御ソフトは常時実行され、まず、携帯端末の記憶媒体に保存されている図２（Ｃ）に示されるデータに関して、まだ情報サーバ３０へ未送信のデータが存在するか否かを判断する（Ｓ８）。未送信データが存在する場合には、情報サーバ３０への送信を試みる（Ｓ９）。これを未送信データが全て送信完了するまで繰り返し、未送信データが無くなったと判断されると（Ｓ８）、このフローを終了する。なお、携帯端末に搭載された加速度センサにより一定以上の速度を検出したときに自動送信されてもよい。
【００２１】
なお、このステップＳ８およびＳ９は、未送信データがある場合に、送信可能な状況になったときに送信するものであり、前記画像の取り込み後、情報サーバ３０に送信するステップ（Ｓ６）を実行したときに、送信ができなかった場合に備えるものである。
【００２２】
以上のように、携帯端末は、現場の状況を示す画像を取り込んで位置情報を取得しても、その場所で情報サーバ３０に送信できないときに、常時送信を試みるソフトウェアを実行し、送信可能な状態になったとき情報サーバ３０に自動送信するので、未送信のデータは順次情報サーバ３０に確実に自動送信される。
【００２３】
図３には、携帯端末１０から情報サーバ３０に送信されたデータを、情報サーバに記憶されたソフトウェアを用いて整理して入力され、記憶媒体４０に記憶される管理データベースの例が示されている。この管理データベースには、「正常、傾柱、倒壊」等の電柱の状況を示す「備考」欄、電柱の識別番号を示す「電柱情報」欄、電柱の位置を示す「位置情報」欄、電柱の住所を示す「住所」欄、現場状況を撮影した画像ファイル名を示す「画像データ名」欄が設けられている。
【００２４】
ここで、情報サーバ３０が、携帯端末１０から送信された位置情報（ｘ，ｙ）に該当する「管理データベース」に登録済みの「電柱」を検索する。そして、この電柱に対して「備考」欄に電柱の状況を示す「正常、傾柱、倒壊」のいずれかを記入し、画像ファイル名を「画像データ名」欄に記載する。
【００２５】
以上の操作により、携帯端末１０で収集した情報は、携帯端末１０からの通信が画像取得時に不通であっても、場所を変える、時間経過を待つ等により送信可能になったときに順次情報サーバ３０に送信され、この情報サーバ３０により、順次電柱の状態などの現場情報がわかる「管理データベース」が作成される。
【００２６】
なお、携帯端末において電柱の状況を示す「正常、傾柱、倒壊」のいずれかを入力する構成で説明してきたが、この入力を携帯端末では行わず、画像を情報サーバ３０に送信し、情報サーバ３０においてクライアントＰＣからブラウザ等の閲覧ソフトで前記画像を操作者が見て、電柱の状況を示す「正常、傾柱、倒壊」のいずれかを補足入力する構成であってもよい。
【００２７】
また、本発明はソフトウェアにより実現されるので特に記載しなかったが、携帯電話及び情報サーバのＲＡＭに読み込まれた専用ソフトウェアによりＣＰＵが駆動されてネットワークのインタフェースを介して上記の処理がされることは言及するまでもない。
【符号の説明】
【００２８】
１０  携帯端末
２０ａ  基地局
２０ｂ  基地局サーバ
３０  情報サーバ
４０  記憶媒体
５０  クライアントＰＣ
【図１】
2010239445.tif 000003
【図２】
2010239445.tif 000004
【図３】
2010239445.tif 000005